(57)【要約】【課題】ドアコントロール装置に関する発明が開示される。【解決手段】本発明のドアコントロール装置は、内部空間部が形成されるハウジング、ドアロック装置を制御し、前記内部空間部に配置されるコントロールユニット、および前記内部空間部に配置され、車両の浸水時に前記ハウジングの内部圧力を増加させるようにガスを発生させるガス発生部を含むことを特徴とする。【選択図】図２
2020090280.tif 000002
【特許請求の範囲】
【請求項１】
内部空間部が形成されるハウジング、
ドアロック装置を制御し、前記内部空間部に配置されるコントロールユニット、および
前記内部空間部に配置され、車両の浸水時に前記ハウジングの内部圧力が増加するようにガスを発生させるガス発生部を含むことを特徴とするドアコントロール装置。
【請求項２】
前記ガス発生部は、前記内部空間部に浸透する水と化学反応することによってガスを発生させることを特徴とする、請求項１に記載のドアコントロール装置。
【請求項３】
前記コントロールユニットは、前記ハウジングの底面から離隔して配置されることを特徴とする、請求項１に記載のドアコントロール装置。
【請求項４】
前記ガス発生部は、前記ハウジングの底面に配置されることを特徴とする、請求項３に記載のドアコントロール装置。
【請求項５】
前記ガス発生部は、
前記ハウジングの底面に配置され、複数の通孔部が形成されるケーシング、および
前記ケーシングの内部に収容され、前記通孔部を通じて流入する水と化学反応を起こしてガスを発生させるガス発生物質を含むことを特徴とする、請求項４に記載のドアコントロール装置。
【請求項６】
前記ガス発生部は、
前記ハウジングの底面に配置される多孔パック、および
前記多孔パックの内部に収容され、前記多孔パックの内部に流入する水と化学反応を起こしてガスを発生させるガス発生物質を含むことを特徴とする、請求項４に記載のドアコントロール装置。
【発明の詳細な説明】
【技術分野】
【０００１】
本発明は、ドアコントロール装置に関し、より詳しくは、車両の浸水時に一定時間の間コントロールユニットに水が浸透するのを防止することができるドアコントロール装置に関する。
【背景技術】
【０００２】
一般に、車両には、搭乗者が乗り降りできるようにドアが設けられる。ドアのロック装置は、手動で開放されるか、またはコントロールユニットによって自動で開放される。コントロールユニットは、電気的な信号によってロック装置を制御する。
【０００３】
車両の走行中に車両が湖や海などに落ちる場合がある。車両が水に浸かると、水がコントロールユニットに浸透することによってコントロールユニットの制御動作が不可能になりうる。よって、車両の浸水時、コントロールユニットに水が浸透するのを防止するように、様々なシーリング装置が設けられる。また、コントロールユニットの回路基板を防水コーティングするか、またはコントロールユニットのハウジングをシーリング部材のような防水構造物によりシーリングする。
【０００４】
しかし、従来ではコントロールユニットの回路基板を防水コーティングするかまたはハウジングを防水構造物によりシーリングするため、車両のドアコントロール装置の製造費用およびサイズが増加しうる。
【０００５】
また、コントロールユニットの回路基板が防水コーティングされる場合、回路基板の動作時、回路基板から発生する熱が外部に放出され難いことがある。よって、回路基板が劣化することによって回路基板にエラーが発生するか、または防水コーティングが損傷することによって防水性能が低下しうる。
【０００６】
したがって、それを改善する必要性が要求される。
【０００７】
本発明の背景技術は、大韓民国登録特許公報第１３９５５２１号（２０１４年０５月１４日公告、発明の名称：防水型ハウジングシーリングを用いた車両の電子制御装置およびその製造方法）に開示されている。
【発明の概要】
【発明が解決しようとする課題】
【０００８】
本発明は、前記のような問題点を改善するために導き出されたものであり、本発明の目的は、車両の浸水時に一定時間の間コントロールユニットに水が浸透するのを防止することができるドアコントロール装置を提供することにある。
【課題を解決するための手段】
【０００９】
本発明に係るドアコントロール装置は、内部空間部が形成されるハウジング、ドアロック装置を制御し、前記内部空間部に配置されるコントロールユニット、および前記内部空間部に配置され、車両の浸水時に前記ハウジングの内部圧力が増加するようにガスを発生させるガス発生部を含むことを特徴とする。
【００１０】
前記ガス発生部は、前記内部空間部に浸透する水と化学反応することによってガスを発生させることができる。
【００１１】
前記コントロールユニットは、前記ハウジングの底面から離隔して配置することができる。
【００１２】
前記ガス発生部は、前記ハウジングの底面に配置することができる。
【００１３】
前記ガス発生部は、前記ハウジングの底面に配置され、複数の通孔部が形成されるケーシング、および前記ケーシングの内部に収容され、前記通孔部を通じて流入する水と化学反応を起こしてガスを発生させるガス発生物質を含むことができる。
【００１４】
前記ガス発生部は、前記ハウジングの底面に配置される多孔パック、および前記多孔パックの内部に収容され、前記多孔パックの内部に流入する水と化学反応を起こしてガスを発生させるガス発生物質を含むことができる。
【発明の効果】
【００１５】
本発明によれば、車両の浸水時にハウジングの内部空間部にガスが充填されることによってハウジングの内部圧力が増加するため、コントロールユニットが一定時間の間水に接触するのを防止することができる。
【００１６】
また、本発明によれば、コントロールユニットを防水コーティングしなくてもよく、ハウジングをシーリング部材のような防水構造物によりシーリングしなくてもよいため、車両のドアコントロール装置の製造費用およびサイズを低減できる。
【図面の簡単な説明】
【００１７】
【図１】本発明の一実施形態によるドアコントロール装置を示す斜視図である。
【図２】本発明の一実施形態によるドアコントロール装置を示す断面図である。
【図３】本発明の一実施形態によるドアコントロール装置におけるガス発生部を示す断面図である。
【図４】本発明の一実施形態によるドアコントロール装置のガス発生部からガスが発生する状態を示す断面図である。
【図５】本発明の他の実施形態によるドアコントロール装置におけるガス発生部を示す断面図である。
【図６】本発明の他の実施形態によるドアコントロール装置のガス発生部からガスが発生する状態を示す断面図である。
【発明を実施するための形態】
【００１８】
以下、添付図面を参照して本発明に係るドアコントロール装置の一実施形態を説明する。ドアコントロール装置を説明する過程において、図面に示された線の太さや構成要素の大きさなどは、説明の明瞭性と便宜上のために誇張して示されていることがある。また、後述する用語は本発明での機能を考慮して定義された用語であって、これは使用者、運用者の意図または慣例に応じて異なりうる。よって、このような用語に対する定義は、本明細書の全般にわたる内容に基づいてなされなければならない。
【００１９】
先ず、本発明の一実施形態によるドアコントロール装置について説明する。
【００２０】
図１は、本発明の一実施形態によるドアコントロール装置を示す斜視図であり、図２は、本発明の一実施形態によるドアコントロール装置を示す断面図であり、図３は、本発明の一実施形態によるドアコントロール装置におけるガス発生部を示す断面図であり、図４は、本発明の一実施形態によるドアコントロール装置のガス発生部からガスが発生する状態を示す断面図である。
【００２１】
図１〜図４を参照すると、本発明の一実施形態によるドアコントロール装置は、ハウジング１０、コントロールユニット２０、およびガス発生部３０を含む。
【００２２】
ハウジング１０には内部空間部１２が形成される。ハウジング１０は、四角ボックス、円筒形などの様々な形態に形成できる。ハウジング１０の下側には、電線連結部（図示せず）が接続されるコネクタ部１２が設けられる。車両の浸水時、外部の水がコネクタ部１２を通じてハウジング１０の内部に浸透しうる。
【００２３】
コントロールユニット２０は、ドアロック装置２２を制御し、ハウジング１０の内部空間部１２に配置される。コントロールユニット２０は、電気電子的にドアロック装置２２を制御する回路基板（図示せず）を含む。
【００２４】
コントロールユニット２０は、ハウジング１０の底面から離隔して配置される。このとき、コントロールユニット２０は、サポート部材１４によってハウジング１０の底面から離隔している。よって、車両の浸水初期にコネクタ部１２を通じてハウジング１０の底面に水が浸透してもコントロールユニット２０が水に接触するのを防止することができる。
【００２５】
ガス発生部３０は、内部空間部１２に配置され、車両の浸水時にハウジング１０の内部圧力が増加するようにガスを発生させる。ガス発生部３０は、ハウジング１０の内部空間部１２に浸透する水と化学反応することによってガスを発生させる。車両の浸水時、ハウジング１０の内部空間部１２にガスが充填されることによってハウジング１０の内部圧力が増加するため、コネクタ部１２を通じてハウジング１０の内部に水が浸透するのを防止することができる。よって、コントロールユニット２０が一定時間の間（脱出に十分な時間の間）水に接触するのを防止することができる。
【００２６】
したがって、コントロールユニット２０の回路基板（図示せず）を防水コーティングしなくてもよく、ハウジング１０にシーリング部材のような防水構造物によりシーリングしなくてもよいため、車両のドアコントロール装置の製造費用およびサイズを低減できる。
【００２７】
また、コントロールユニット２０の回路基板が防水コーティングされないため、回路基板の動作時、回路基板から発生する熱が外部へ容易に放出されることができる。よって、回路基板が劣化するのを防止することができる。
【００２８】
ガス発生部３０は、ハウジング１０の底面に配置される。よって、ハウジング１０の内部に水が若干浸透すると、ガス発生部３０が水との化学反応を直ちに開始するため、ガス発生部３０の化学反応時間を短縮させることができる。ガス発生部３０の化学反応の開始時間が速くなるため、ハウジング１０の内部圧力が速かに増加することができる。よって、コントロールユニット２０に水が接触する前にハウジング１０の内部圧力が大気圧より高くなるため、ハウジング１０の内部空間部１２に水が浸透するのを防止することができる。
【００２９】
ガス発生部３０は、ケーシング３１およびガス発生物質３５を含む。ケーシング３１は、ハウジング１０の底面に配置され、複数の通孔部３２が形成される。ガス発生物質３５は、ケーシング３１の内部に収容され、通孔部３２を通じて流入する水と化学反応を起こしてガスを発生させる。ガス発生物質３５は、パウダー（ｐｏｗｄｅｒ）形態、または固形化した状態でケーシング３１の内部に収容されることができる。
【００３０】
ケーシング３１に複数の通孔部３２が形成されるため、ハウジング１０外部の水が通孔部３２を通じてガス発生物質３５に接触することができる。よって、ガス発生物質３５が水と化学反応することによってガスが発生することができる。また、ケーシング３１内部のガスが通孔部３２を通過してハウジング１０の内部空間部１２に供給されるため、ハウジング１０の内部圧力が増加することができる。
【００３１】
ケーシング３１の側面部と上面部に複数の通孔部３２が形成されることができる。ケーシング３１の側面部に通孔部３２が形成されるため、ハウジング１０の底面に浸透した水がケーシング３１の側面部の通孔部３２を通じてガス発生物質３５に到達することができる。また、ガス発生物質３５から発生するガスは、側面部と上面部に形成される通孔部３２を通じてハウジング１０の内部空間部１２に流動することができる。
【００３２】
上記のように構成された本発明の一実施形態によるドアコントロール装置の作動について説明する。
【００３３】
車両が水に浸かると、車両の隙間を通じて水が浸透しうる。車両の内部に浸透した水は、ハウジング１０の下側から上側に水位が高くなる。この時、水は、ハウジング１０のコネクタ部１２を通じて浸透し、ハウジング１０の底面から充填される。
【００３４】
ハウジング１０の底面に浸透する水がケーシング３１の側面部の通孔部３２を通じてケーシング３１の底面に浸透する。ケーシング３１の底面にはガス発生物質３５が配置されるため、ガス発生物質３５が水と化学反応を起こすことによってガスが発生する。ケーシング３１内部のガスはケーシング３１の通孔部３２を通じてハウジング１０の内部空間部１２に流動するため、ハウジング１０の内部圧力が順次増加する。
【００３５】
ハウジング１０の内部圧力が大気圧より高くなれば、ハウジング１０の内部に水がこれ以上浸透することができない。よって、ハウジング１０にシーリング構造を形成していないかまたはコントロールユニット２０を防水コーティングしていなくてもコントロールユニット２０に水が接触するのを防止することができる。また、コントロールユニット２０に防水コーティングをしないため、コントロールユニット２０が劣化するのを防止することができる。
【００３６】
ガス発生部３０からガスが発生する間、ハウジング１０の内部圧力が一定に維持されつつ、ハウジング１０の内部に水が浸透するのを防止する。よって、車両が浸水した後、一定の非常動作時間の間にドアロック装置２２が駆動できるため、搭乗者が車両から脱出できる非常動作時間を確保することができる。
【００３７】
前記ガス発生部３０は、気体漏れが小さいハウジング１０に電子機器が設けられる様々な装置に適用できる。
【００３８】
次に、本発明の他の実施形態によるドアコントロール装置について説明する。他の実施形態はガス発生部を除いて前述した一実施形態と実質的に同様であるため、以下では他の実施形態のガス発生部について説明する。
【００３９】
図５は、本発明の他の実施形態によるドアコントロール装置におけるガス発生部を示す断面図であり、図６は、本発明の他の実施形態によるドアコントロール装置のガス発生部からガスが発生する状態を示す断面図である。
【００４０】
図５および図６を参照すると、本発明の他の実施形態によるドアコントロール装置のガス発生部４０は、多孔パック４１およびガス発生物質４５を含む。
【００４１】
多孔パック４１は、ハウジング１０の底面に配置される。多孔パック４１は、様々な形態に形成できる。多孔パック４１を通じて気体と流体が通過できる限り、様々な多孔パック４１が適用できる。また、多孔パック４１は、様々な素材で製作できる。
【００４２】
ガス発生物質４５は、多孔パック４１の内部に収容され、多孔パック４１の内部に流入する水と化学反応を起こしてガスを発生させる。ガス発生物質４５が水と化学反応することによって発生するガスは、多孔パック４１を通じてハウジング１０の内部空間部１２へ排出される。
【００４３】
ガス発生物質４５が多孔パック４１の内部に収容されるため、ガス発生物質４５が多孔パック４１の外部に流れ出るのを防止することができる。また、多孔パック４１の下部全体を通じて水が通過できるため、ガス発生物質４５と水の化学反応速度がより速くなる。
【００４４】
本発明は図面に示された実施形態を参照して説明されたが、これは例示的なものに過ぎず、当該技術が属する分野における通常の知識を有する者であれば、これより様々な変形および均等な他の実施形態が可能であることを理解することができるであろう。
【００４５】
したがって、本発明の真の技術的な保護範囲は請求範囲によって定められなければならない。
【符号の説明】
【００４６】
１０  ・・・ハウジング
１２  ・・・内部空間部
１４  ・・・サポート部材
２０  ・・・コントロールユニット
２２  ・・・ドアロック装置
３０  ・・・ガス発生部
３１  ・・・ケーシング
３２  ・・・通孔部
３５  ・・・ガス発生物質
４０  ・・・ガス発生部
４１  ・・・多孔パック
４５  ・・・ガス発生物質
【図１】
2020090280.tif 000003
【図２】
2020090280.tif 000004
【図３】
2020090280.tif 000005
【図４】
2020090280.tif 000006
【図５】
2020090280.tif 000007
【図６】
2020090280.tif 000008